(57)【要約】【課題】  耐熱性の低い被洗浄物についても確実に洗浄殺菌し、被洗浄物を繰返し使用できるようにする。【解決手段】  被洗浄物を収納する筐体１１内に収納された被洗浄物に向けて洗浄液とオゾン水とを噴射させるためのノズル３を設け、筐体１１内に洗浄水を供給し、供給された洗浄液を循環ポンプ８ｃで循環させてノズル３から噴射させ、筐体１１内に収納された被洗浄物を洗浄液で洗浄する洗浄機構１７と、筐体１１内にオゾン水を供給し、供給されたオゾン水を循環ポンプ８ｃで循環させてノズル３から噴射させ、筐体１１内に収納された被洗浄物をオゾン水で殺菌するオゾン水殺菌機構１８と、を設け、洗浄液を循環させるときの循環ポンプ８ｃの回転数よりもオゾン水を循環させるときの循環ポンプ８ｃの回転数を下げるようにした。【選択図】        図２
2005021718.tif 000002
【特許請求の範囲】
【請求項１】
被洗浄物を収納する筐体と、
前記筐体内に収納された被洗浄物に向けて洗浄液とオゾン水とを噴射させるためのノズルと、
前記筐体内に洗浄水を供給し、供給された洗浄液を循環ポンプで循環させて前記ノズルから噴射させ、前記筐体内に収納された被洗浄物を洗浄液で洗浄する洗浄機構と、
前記筐体内にオゾン水を供給し、供給されたオゾン水を前記循環ポンプで循環させて前記ノズルから噴射させ、前記筐体内に収納された被洗浄物をオゾン水で殺菌するオゾン水殺菌機構と、
を備え、前記ノズルから噴射させる洗浄液の圧力よりも前記ノズルから噴射させるオゾン水の圧力を低くするようにした、ことを特徴とする洗浄殺菌装置。
【請求項２】
洗浄液を循環させるときの前記循環ポンプの回転数よりもオゾン水を循環させるときの前記循環ポンプの回転数を下げ、これによって、前記ノズルから噴射させる洗浄液の圧力よりも前記ノズルから噴射させるオゾン水の圧力を低くするようにした、ことを特徴とする請求項１記載の洗浄殺菌装置。
【請求項３】
前記循環ポンプにバイパスラインを設け、このバイパスラインを電磁弁でオン・オフさせて前記循環ポンプの吐出圧を変化させ、これによって、前記ノズルから噴射させる洗浄液の圧力よりも前記ノズルから噴射させるオゾン水の圧力を低くするようにした、ことを特徴とする請求項１記載の洗浄殺菌装置。
【請求項４】
前記ノズルから噴射させるオゾン水の圧力を０．０５Ｍｐａ以下にした、ことを特徴とする請求項１記載の洗浄殺菌装置。
【発明の詳細な説明】
【技術分野】
【０００１】
本発明は、医療器具などを洗浄殺菌する洗浄殺菌装置に関する。
【背景技術】
【０００２】
医療現場で使用されているハサミやメス等の医療器具は、使用後に洗浄と殺菌とを充分に行なう必要がある。ここで、医療器具の洗浄殺菌に用いられている従来の洗浄殺菌装置の一例を図３に基づいて説明する。この洗浄殺菌装置は被洗浄物である医療器具（図示せず）を収納する筐体１を有し、この筐体１内には、医療器具を入れたバスケットが載置される載置台２と、この載置台２の上下に位置する回転式のノズル３と、筐体１内の空気を温めるヒーター（図示せず）と、ヒーターで温められた空気を載置台２上に載置された医療器具に向けて送風するファン（図示せず）とが設けられている。
【０００３】
前記筐体１の側面部には、水道水を供給する水道水パイプ４と、熱水又は高温蒸気を供給する熱水パイプ５と、洗剤タンク（図示せず）から洗剤を供給する洗剤パイプ６とが接続されている。水道水パイプ４の途中には電磁弁４ａが設けられ、熱水パイプ５の途中には電磁弁５ａが設けられ、洗剤パイプ６の途中には洗剤供給ポンプ６ａが設けられている。
【０００４】
前記筐体１の底面部には、筐体１内に供給された洗浄液である水道水、水道水と洗剤とが混合された洗浄液、熱水等を筐体１外へ流出させるための流出パイプ７が接続されている。この流出パイプ７はその先端部で二股に分岐され、一方は洗浄液や熱水等を前記ノズル３へ導く導水パイプ８とされ、他方は、洗浄液や熱水等を排水する排水パイプ９とされている。流出パイプ７の途中には、この流出パイプ７内を流れる洗浄液や熱水中に含まれるゴミを除去するフィルター７ａが設けられ、導水パイプ８の途中には二個の電磁弁８ａ，８ｂと循環ポンプ８ｃとが設けられ、排水パイプ９の途中には電磁弁９ａが設けられている。
【０００５】
前記電磁弁４ａ，５ａ，８ａ，８ｂ，９ａ、前記ポンプ６ａ，８ｃ、筐体１内に溜まった洗浄液や熱水等が所定量に達したことを検知するレベルスイッチ１０、ヒーター、ファンなどは、マイクロコンピュータを利用した制御部（図示せず）に接続されている。
【０００６】
このような洗浄殺菌装置による医療器具の洗浄殺菌の手順を説明する。まず、筐体１の蓋（図示せず）を開け、医療器具を入れたバスケットを載置台２に載せ、蓋を閉める。なお、この状態では、全ての電磁弁４ａ，５ａ，８ａ，８ｂ，９ａは閉弁され、ポンプ６ａ，８ｃは停止している。
【０００７】
筐体１の蓋を閉めた後にスタート釦を押すと、電磁弁４ａが開弁されて水道水が筐体１内に供給されるとともに、洗剤供給ポンプ６ａが駆動されて洗剤が筐体１内に供給され、筐体１内には水道水と洗剤とが混合された洗浄液が溜まる。筐体１内に溜まった洗浄液が所定量に達したことがレベルスイッチ１０で検知されると、この検知結果に基づいて電磁弁４ａが閉弁され、洗剤供給ポンプ６ａが停止され、電磁弁８ａ，８ｂが開弁され、循環ポンプ８ｃが駆動される。
【０００８】
これにより、筐体１内に溜まった洗浄液が流出パイプ７内と導水パイプ８内とを流れてノズル３から噴射され、筐体１内に収納されている医療器具が洗浄液により洗浄される。ノズル３から洗浄液が噴射されると、その反力によってノズル３が回転する。この洗浄が所定時間行なわれると、電磁弁８ａ，８ｂが閉弁されるとともに循環ポンプ８ｃの駆動が停止され、さらに、電磁弁９ａが開弁される。これにより、医療器具の洗浄に用いられた洗浄液が流出パイプ７と排水パイプ９とを通って排水される。
【０００９】
なお、洗浄液による洗浄は、水道水と洗剤とを混合して洗浄液をつくるとき、水道水とともに熱水パイプ５から熱水を供給することにより洗浄液の温度を調節し、例えば４０℃程度の低温水の洗浄液で主に蛋白質の凝固を防ぎながら血液などの蛋白質を除去する予備洗浄と、６０℃程度の洗浄液で主に油脂を除去する本洗浄とに分けて二段階で行なう場合もある。また、洗浄液による洗浄後に、水道水のみをノズル３から噴射して医療器具のすすぎ洗浄を行なう場合もある。
【００１０】
洗浄液、又は、すすぎ水が排水され、電磁弁９ａが閉弁された後、電磁弁５ａが開弁されて熱水パイプ５から熱水又は高温蒸気が筐体１内に供給される。そして、筐体１内に供給された熱水が所定量に達したことがレベルスイッチ１０により検知されると、電磁弁５ａが閉弁されて熱水の供給が停止されるとともに電磁弁８ａ，８ｂが開弁され、循環ポンプ８ｃが駆動される。そして、筐体１内に溜まった熱水がノズル３から筐体１内に収納された医療器具に向けて回転を伴って噴射され、医療器具の殺菌が行なわれる。
【００１１】
熱水の噴射による医療器具の殺菌が所定時間行なわれた後、循環ポンプ８ｃの駆動が停止され、熱水が排水パイプ９から排水される。熱水が排水された後、ヒーターとファンとが駆動され、ヒーターで加熱された空気が洗浄殺菌された医療器具に向けてファンにより送風され、医療器具が乾燥することにより一連の洗浄殺菌処理が終了する。
【００１２】
【特許文献１】実願平３−６４４７３号（実開平５−１５９５２号）のマイクロフィルム
【発明の開示】
【発明が解決しようとする課題】
【００１３】
図３に示した洗浄殺菌装置では、医療器具の殺菌を熱水又は高温蒸気を用いて行なっているため、ゴム製又は樹脂製などの耐熱性が低い医療器具では、熱変形を起こしやすい。このような熱変形を防止するためには、熱水又は高温蒸気の温度を下げなければならず、熱水又は高温蒸気の温度を下げることにより殺菌性能が低下する。
【００１４】
このため、ゴム製又は樹脂製の医療器具については、充分な殺菌を行なうためには手間がかかること、及び、充分な殺菌を行なうことが困難なことから、使い捨てにしている場合が多く、ゴム製又は樹脂製の医療器具の購入費用が膨大になっている。
【００１５】
本発明は、耐熱性の低い被洗浄物についても確実に洗浄殺菌することができる洗浄殺菌装置を提供することを目的とする。
【課題を解決するための手段】
【００１６】
本発明の洗浄殺菌装置は、被洗浄物を収納する筐体と、前記筐体内に収納された被洗浄物に向けて洗浄液とオゾン水とを噴射させるためのノズルと、前記筐体内に洗浄水を供給し、供給された洗浄液を循環ポンプで循環させて前記ノズルから噴射させ、前記筐体内に収納された被洗浄物を洗浄液で洗浄する洗浄機構と、前記筐体内にオゾン水を供給し、供給されたオゾン水を前記循環ポンプで循環させて前記ノズルから噴射させ、前記筐体内に収納された被洗浄物をオゾン水で殺菌するオゾン水殺菌機構と、を備え、洗浄液を循環させるときの前記循環ポンプの回転数よりもオゾン水を循環させるときの前記循環ポンプの回転数を下げるようにした。
【発明の効果】
【００１７】
本発明の洗浄殺菌装置によれば、ノズルから噴射させる洗浄液の圧力よりもノズルから噴射させるオゾン水の圧力を低くするようにしたので、オゾンがオゾン水から気液分離することによるオゾン水のオゾン濃度の低下を防止することができ、したがって、オゾン水による殺菌効果を維持することができる。
【発明を実施するための最良の形態】
【００１８】
本発明の参考例を図１に基づいて説明する。なお、図３において説明した部分と同じ部分は同じ符号を用いて説明する。本参考例の洗浄殺菌装置は、被洗浄物である医療器具（図示せず）を洗浄殺菌する装置であり、洗浄殺菌する医療器具を収納する筐体１１を有し、この筐体１１内には、医療器具を入れたバスケットが載置される載置台２と、この載置台２の上下に位置する回転式のノズル３と、筐体１内の空気を温めるヒーター（図示せず）と、ヒーターで温められた空気を載置台２上に載置された医療器具に向けて送風するファン（図示せず）とが設けられている。
【００１９】
前記筐体１１の側面部には、水道水を供給する水道水パイプ４と、温水を供給する温水パイプ１２と、洗剤タンク（図示せず）から洗剤を供給する洗剤パイプ６と、オゾン水製造装置１３で製造されたオゾン水が供給されるオゾン水パイプ１４が接続されている。前記オゾン水製造装置１３へは、水道水を供給する水道水パイプ１５と、酸素ガスタンク（図示せず）から酸素ガスを供給する酸素ガスパイプ１６が接続されている。水道水パイプ４の途中には電磁弁１５ａが設けられ、水道水パイプ１５の途中には電磁弁４ａが設けられ、温水パイプ１２の途中には電磁弁１２ａが設けられ、酸素ガスパイプ１６の途中には電磁弁１６ａが設けられ、洗剤パイプ６の途中には洗剤供給ポンプ６ａが設けられている。
【００２０】
前記筐体１１の底面部には、筐体１１内に供給された水道水と温水と洗剤又は温水と洗剤とが混合された洗浄液、オゾン水等を筐体１１外へ流出させるための流出パイプ７が接続されている。この流出パイプ７はその先端部で二股に分岐され、一方は洗浄液やオゾン水を前記ノズル３へ導く導水パイプ８とされ、他方は、洗浄液やオゾン水を排水する排水パイプ９とされている。流出パイプ７の途中には、この流出パイプ７内を流れる洗浄液やオゾン水中に含まれるゴミを除去するフィルター７ａが設けられ、導水パイプ８の途中には二個の電磁弁８ａ，８ｂと循環ポンプ８ｃとが設けられ、排水パイプ９の途中には電磁弁９ａが設けられている。
【００２１】
ここで、この洗浄殺菌装置には、載置台２上に載置された医療器具を洗浄液で洗浄する洗浄機構１７と、洗浄された医療器具をオゾン水で殺菌するオゾン水殺菌機構１８とが設けられている。洗浄機構１７は、水道水パイプ４、温水パイプ１２、洗剤パイプ６、流出パイプ７、導水パイプ８、ノズル３、電磁弁４ａ，１２ａ，８ａ，８ｂ、洗剤供給ポンプ６ａ、循環ポンプ８ｃにより構成されている。オゾン水殺菌機構１８は、水道水パイプ１５、酸素ガスパイプ１６、オゾン水製造装置１３、オゾン水パイプ１４、電磁弁１５ａ，１６ａにより構成されている。
【００２２】
前記電磁弁４ａ，８ａ，８ｂ，９ａ，１２ａ，１５ａ、前記ポンプ６ａ，８ｃ、前記ヒーター及びファン、筐体１１内に溜まった洗浄液やオゾン水が所定量に達したことを検知するレベルスイッチ１０，１９などは、マイクロコンピュータを利用した制御部（図示せず）に接続されている。
【００２３】
このような構成において、この洗浄殺菌装置による医療器具の洗浄殺菌の手順を説明する。まず、筐体１１の蓋（図示せず）を開け、医療器具を入れたバスケットを載置台２に載せ、蓋を閉める。なお、この状態では、全ての電磁弁４ａ，８ａ，８ｂ，９ａ，１２ａ，１５ａ，１６ａは閉弁され、ポンプ６ａ，８ｃ、ヒーター、ファン等は、停止している。
【００２４】
筐体１１の蓋を閉めた後にスタート釦を押すと、電磁弁４ａ，１２ａが開弁されて水道水と温水とが筐体１１内に供給されるとともに洗剤供給ポンプ６ａが駆動されて洗剤が筐体１１内に供給され、筐体１１内には水道水と温水と洗剤とが混合された低温水（例えば、４０℃）の洗浄液が溜まる。筐体１１内に溜まった洗浄液が所定量に達したことがレベルスイッチ１０で検知されると、この検知結果に基づいて電磁弁４ａ，１２ａが閉弁され、洗剤供給ポンプ６ａが停止され、電磁弁８ａ，８ｂが開弁され、循環ポンプ８ｃが駆動される。
【００２５】
これにより、筐体１１内に溜まった低温水の洗浄液が流出パイプ７内と導水パイプ８内とを流れてノズル３から噴射されるとともにその噴射の反力でノズル３が水平面内で回転し、載置台２上に載置されている医療器具が洗浄される。この洗浄では、主に、医療器具に付着した血液などの蛋白質が除去される。この洗浄が所定時間行なわれると、電磁弁８ａ，８ｂが閉弁されるとともに循環ポンプ８ｃの駆動が停止され、さらに、電磁弁９ａが開弁され、医療器具の洗浄に用いられた低温水の洗浄液が流出パイプ７内と排水パイプ９内とを流れて排水される。
【００２６】
この洗浄工程で、オゾン水を使用してもよく、これにより、排水された洗浄液中に含まれる菌も殺菌でき、病院設備内の排水処理が軽減される。
【００２７】
低温水の洗浄液が排水された後、電磁弁１２ａが開弁されて温水が筐体１１内に供給されるとともに洗剤供給ポンプ６ａが駆動されて洗剤が筐体１１内に供給され、筐体１１内には温水と洗剤とが混合された高温（例えば、６０℃）の洗浄液が溜まる。筐体１１内に溜まった洗浄液が所定量に達したことがレベルスイッチ１０で検知されると、この検知結果に基づいて電磁弁１２ａが閉弁され、洗剤供給ポンプ６ａが停止され、電磁弁８ａ，８ｂが開弁され、循環ポンプ８ｃが駆動される。
【００２８】
これにより、筐体１１内に溜まった高温の洗浄液が流出パイプ７内と導水パイプ８内とを流れてノズル３から噴射されるとともにその噴射の反力でノズル３が水平面内で回転し、載置台２上に載置されている医療器具が洗浄される。この洗浄では、主に、医療器具に付着した油脂が除去される。この洗浄が所定時間行なわれると、電磁弁８ａ，８ｂが閉弁されるとともに循環ポンプ８ｃの駆動が停止され、さらに、電磁弁９ａが開弁され、医療器具の洗浄に用いられた高温の洗浄液が流出パイプ７内と排水パイプ９内とを流れて排水される。
【００２９】
以上のようにして温度の異なる洗浄液で二段階の洗浄を行なった後、オゾン水殺菌機構１８による殺菌を行なう。この殺菌工程では、電磁弁１５ａ，１６ａが開弁されてオゾン水製造装置１３内に水道水と酸素ガスとが供給され、オゾン水製造装置１３内でオゾン水が製造され、製造されたオゾン水が筐体１１内へ供給される。
【００３０】
筐体１１内に溜まったオゾン水が所定量に達したことがレベルスイッチ１９で検知されると、その検知結果に基づいて電磁弁１５ａ，１６ａが閉弁され、オゾン水の供給が停止される。オゾン水がレベルスイッチ１９で検知されたときには、載置台２上に載置された医療器具は筐体１１内に溜まったオゾン水に浸漬されており、医療器具がオゾン水に浸漬された状態を所定時間（例えば、１０〜２０分）維持することによりオゾン水による医療器具の殺菌を行なう。このオゾン水による医療器具の殺菌を、医療器具をオゾン水中に浸漬させることにより行なうため、オゾン水が医療器具の隅々まで入り込み、医療器具の隅々まで殺菌を行なえる。
【００３１】
オゾン水による医療器具の殺菌が所定時間行なわれた後、電磁弁９ａが開弁され、オゾン水が排水パイプ９から排水される。オゾン水が排水された後、ヒーターとファンとが駆動され、ヒーターで加熱された空気が洗浄殺菌された医療器具に向けてファンにより送風され、医療器具が乾燥することにより一連の洗浄殺菌処理が終了する。
【００３２】
なお、本参考例では、温水を供給する温水パイプ１２を備えた洗浄殺菌装置を例に挙げて説明したが、このような温水パイプ１２を設けず、筐体１１内に水道水を加熱するヒーターを設け、このヒーターで水道水を加熱することにより洗浄液の温度を適宜調節するようにしてもよい。
【００３３】
また、本参考例において、オゾン水による殺菌を行なう直前に、水道水のみをノズル３から噴射して医療器具のすすぎ洗浄を行なうようにしてもよい。
【００３４】
さらに、オゾン水による殺菌を終了して乾燥工程に移る前に、医療器具に対してノズル３から防錆剤を散布する機構を設けることも有効である。
【００３５】
つぎに、本発明の実施の一形態を図２に基づいて説明する。なお、図１において説明した部分と同じ部分は同じ符号で示し、説明も省略する。本実施の形態の洗浄殺菌装置は、基本的な構造は図１に示した洗浄殺菌装置と同じであり、洗浄後の医療器具をオゾン水で殺菌するオゾン水殺菌機構２０の構成が異なる。
【００３６】
筐体１１の底面部には流出パイプ７が接続され、流出パイプ７の先端部は導水パイプ８と排水パイプ９とに分岐されている。導水パイプ８の途中には二個の電磁弁８ａ，８ｂと循環ポンプ８ｃとが設けられ、さらに、循環ポンプ８ｃの回転数を下げるためのインバータ２１が設けられている。
【００３７】
ここで、この洗浄殺菌装置には、載置台２上に載置された医療器具を洗浄液で洗浄する洗浄機構１７と、洗浄された医療器具をオゾン水で殺菌するオゾン水殺菌機構２０とが設けられている。洗浄機構１７は、参考例と同じように、水道水パイプ４、温水パイプ１２、洗剤パイプ６、流出パイプ７、導水パイプ８、ノズル３、電磁弁４ａ，１２ａ，８ａ，８ｂ、洗剤供給ポンプ６ａ、循環ポンプ８ｃにより構成されている。オゾン水殺菌機構２０は、水道水パイプ１５、酸素ガスパイプ１６、オゾン水製造装置１３、オゾン水パイプ１４、流出パイプ７、導水パイプ８、電磁弁８ａ，８ｂ，１５ａ，１６ａ、循環ポンプ８ｃ、インバータ２１により構成されている。
【００３８】
前記電磁弁４ａ，８ａ，８ｂ，９ａ，１２ａ，１５ａ、前記ポンプ６ａ，８ｃ、前記ヒーター及びファン、筐体１１内に溜まった洗浄液やオゾン水が所定量に達したことを検知するレベルスイッチ１０、インバータ２１などは、マイクロコンピュータを利用した制御部（図示せず）に接続されている。
【００３９】
このような構成において、この洗浄殺菌装置による医療器具の洗浄殺菌の手順は、上述した参考例の洗浄殺菌装置による洗浄殺菌の手順とほぼ同じである。異なる点は、オゾン水を用いた殺菌工程であり、この殺菌工程についてのみ説明する。
【００４０】
筐体１１内の載置台２上に洗浄殺菌しようとする医療器具を載置し、温度の異なる洗浄液で二段階の洗浄を行ない、この洗浄後にオゾン水殺菌機構２０による殺菌を行なう。この殺菌工程では、電磁弁１５ａ，１６ａが開弁されてオゾン水製造装置１３内に水道水と酸素ガスとが供給され、オゾン水製造装置１３内でオゾン水が製造され、製造されたオゾン水が筐体１１内へ供給される。
【００４１】
筐体１１内に溜まったオゾン水が所定量に達したことがレベルスイッチ１０で検知されると、その検知結果に基づいて電磁弁１５ａ，１６ａが閉弁され、オゾン水の供給が停止される。さらに、電磁弁８ａ，８ｂが開弁され、循環ポンプ８ｃが駆動される。
【００４２】
これにより、筐体１１内に溜まったオゾン水が流出パイプ７内と導水パイプ８内とを流れてノズル３から噴射されるとともにその噴射の反力でノズル３が水平面内で回転し、載置台２上に載置されている医療器具が殺菌される。なお、このときの循環ポンプ８ｃは、ノズル３から洗浄液を噴射する場合と比較してインバータ２１により回転数が下げられており、ノズル３から噴射されるオゾン水の圧力が０．０５Ｍｐａ以下にされている。ノズル３からオゾン水を噴射させることによる医療器具の殺菌が所定時間行なわれた後、電磁弁８ａ，８ｂが閉弁されるとともに循環ポンプ８ｃの回転とが停止され、さらに、電磁弁９ａが開弁され、オゾン水が流出パイプ７内と排水パイプ９内とを流れて排水される。
【００４３】
オゾン水が排水された後、ヒーターとファンとが駆動され、ヒーターで加熱された空気が洗浄殺菌された医療器具に向けてファンにより送風され、医療器具が乾燥することにより一連の洗浄殺菌処理が終了する。
【００４４】
ここで、本実施の形態の洗浄殺菌装置では、洗浄液をノズル３から医療器具に噴射することにより医療器具の洗浄を行なっているため、ノズル３から噴射された洗浄液が医療器具に勢い良く当たることにより医療器具に付着した汚れをノズル水圧で除去でき、洗浄液による洗浄効果が高くなる。また、オゾン水をノズル３から噴射するとき、インバータ２１で循環ポンプ８ｃの回転数を下げ、ノズル３から噴射されるオゾン水の圧力を０．０５Ｍｐａ以下とすることにより、オゾンがオゾン水から気液分離することによるオゾン水のオゾン濃度の低下を防止でき、オゾン水による殺菌効果を維持できる。
【００４５】
なお、本実施の形態では、ノズル３からオゾン水を噴射するときには、インバータ２１で循環ポンプ８ｃの回転数を下げる場合を例に挙げて説明したが、循環ポンプ８ｃにバイパスラインを設け、このバイパスラインを電磁弁でオン・オフさせ、循環ポンプ８ｃの吐出圧を変化させるようにしてもよい。
【００４６】
また、本実施の形態では、洗浄液の噴射とオゾン水の噴射とを同じノズル３を共用して行なう場合を例に挙げて説明したが、洗浄液を噴射するノズルとオゾン水を噴射するノズルとを別個に設けてもよい。
【図面の簡単な説明】
【００４７】
【図１】本発明の参考例を示す概略図である。
【図２】本発明の実施の一形態を示す概略図である。
【図３】従来例を示す概略図である。
【符号の説明】
【００４８】
３        ノズル
１１        筐体
１７        洗浄機構
１８，２０  オゾン水殺菌機構
【図１】
2005021718.tif 000003
【図２】
2005021718.tif 000004
【図３】
2005021718.tif 000005